(57)【要約】【課題】フィルタ５の目詰りが起こりにくく、給水ポンプも壊れにくいほか、密閉容器は１個だけで済むノロ水１０の回収濾過装置。【解決手段】ノロ水１０を回収するための密閉された回収容器１と、回収容器１の内部に配置されて上端を閉じ、下端にはフィルタ５を備えた濾過容器４と、濾過容器４と連結管路７を介して連結した貯水容器６とを備え、上記回収容器１と濾過容器４には負圧発生装置３ａ、３ｂを連結し、上記管路には濾過容器４内の濾過水を貯水容器６に送る第１の給水ポンプ８を設け、貯水容器６には接続機器に濾過水を供給する第２の給水ポンプ９を設けた。【選択図】図１
2007077691.tif 000002
【特許請求の範囲】
【請求項１】
ノロ水を回収するための密閉された回収容器と、回収容器の内部に配置されて上部は閉じられ、底部にはフィルタを備えた濾過容器と、濾過容器と連結管路を介して連結した貯水容器とを備え、
上記回収容器と濾過容器を負圧発生装置に連結し、
上記管路には濾過容器内の濾過水を貯水容器に送る第１の給水ポンプを設け、
貯水容器には接続機器に濾過水を供給する第２の給水ポンプを設けた
ことを特徴とするノロ水の回収濾過装置。
【請求項２】
上記貯水容器に、接続機器に濾過水を供給する第２の給水ポンプを設け、上記第１の給水ポンプを上記連結管路に設けることに代え、給水ポンプを、上記連結管路から分岐する給水管路に配置し、上記連結管路の濾過容器側には逆止弁を設け、貯水容器側には絞り機構を設けた
ことを特徴とする、請求項１記載のノロ水の回収濾過装置。
【請求項３】
ノロ水を回収するための密閉された回収容器の内部に、上端を閉じ、底部にはフィルタを備えた濾過容器を上下動可能に配置し、
上記回収容器の上部には、上端を大気に下端を濾過容器にそれぞれ開口するシリンダを設け、このシリンダ内に上下に摺動自在に収容されたピストンの下方には連結ロッドを介して上記濾過容器と連結し、
上記濾過容器には外部に通じる給水管路を設け、上記回収容器と濾過容器を負圧発生装置に連結し、上記濾過容器を回収容器の底部から浮き上がるように付勢手段によって支持する
ことを特徴とするノロ水の回収濾過装置。
【請求項４】
前記回収容器の内側には内側回収容器を配置し、内側回収容器の内側に上記濾過容器を配置したことを特徴とする、請求項３記載のノロ水の回収濾過装置。
【発明の詳細な説明】
【技術分野】
【０００１】
本発明は、岩石、コンクリート等を穿孔するドリル工具を冷却した冷却水が流れ落ちて汚濁したノロ水を回収して濾過して再び冷却水として使用するためのノロ水の回収濾過装置に関する。
【背景技術】
【０００２】
一般に、岩石、コンクリート等を穿孔するドリル工具は冷却水で冷却されるが、冷却水を無駄に流しっ放しにするのではなく、有効に再使用するための回収濾過装置が知られている。その装置の１つが特許文献１に示されている。
【０００３】
ところが、流れ落ちた冷却水は穿孔屑を含んで汚濁したノロ水となるので、このようなノロ水を再び使用できるようにするためには、濾過する必要がある。従来のノロ水の回収濾過装置は、給水ポンプでノロ水を吸い上げそのままフィルタに押し付けて加圧することにより濾過する技術であった。
【特許文献１】特開平１１−３１１０８３号
【発明の開示】
【発明が解決しようとする課題】
【０００４】
しかし、ノロ水を直接に給水ポンプで吸い上げると、中に含まれる穿孔屑や粉塵が給水ポンプの構成部品を破損させることがあり、またフィルタは回収されたノロ水の中に常時漬かっているため、フィルタの目詰まりが起こりやすく、タンクの中には大量のノロ水が残り、掃除がたいへんである。
【０００５】
また、２個以上の気密、液密な密閉容器を必要とするので、高価なものにならざるを得なかった。
【０００６】
本発明は、上記問題点を解消し、フィルタの目詰りが起こりにくく、給水ポンプも壊れにくいほか、気密、液密な密閉容器は１個だけで済むノロ水の回収濾過装置を提供することをその課題とする。
【課題を解決するための手段】
【０００７】
前記課題を解決するため、請求項１に係る発明は、ノロ水を回収するための密閉された回収容器と、回収容器の内部に配置されて上端を閉じ、下端にはフィルタを備えた濾過容器と、濾過容器と連結管路を介して連結した貯水容器とを備え、上記回収容器と濾過容器を負圧発生装置に連結し、上記管路には濾過容器内の濾過水を貯水容器に送る第１の給水ポンプを設け、貯水容器には接続機器に濾過水を供給する第２の給水ポンプを設けたことを特徴とする。
【０００８】
請求項２に係る発明は、上記貯水容器に、接続機器に濾過水を供給する第２の給水ポンプを設け、上記第１のポンプを上記連結管路に設けることに代え、給水ポンプを、上記連結管路から分岐する給水管路に配置し、上記連結管路の濾過容器側には逆止弁を設け、貯水容器側には絞り機構を設けた
ことを特徴とする。
【０００９】
請求項３に係る発明は、ノロ水を回収するための密閉された回収容器の内部に、上端を閉じ、底部にはフィルタを備えた濾過容器を上下動可能に配置し、上記回収容器の上部には、上端を大気に下端を濾過容器にそれぞれ開口するシリンダを設け、このシリンダ内に上下に摺動自在に収容されたピストンの下方には連結ロッドを介して上記濾過容器と連結して濾過容器を上下動可能とし上記濾過容器には外部に通じる給水管路を設け、上記回収容器と濾過容器を負圧発生装置に連結し、上記濾過容器を回収容器の底部から浮き上がるように付勢手段によって支持することを特徴とする。
【００１０】
請求項４に係る発明は、前記回収容器の内側には内側回収容器を配置し、内側回収容器の内側に上記濾過容器を配置したことを特徴とする。
【発明の効果】
【００１１】
請求項１および請求項２に係る発明によれば、負圧発生装置により回収容器を負圧にし、ノロ水を回収する。回収が進むと、その上澄み液の水面がだんだん上がってきて濾過容器のフィルタを越えると濾過できる状態になる。負圧発生装置により濾過容器内の圧力を回収容器の負圧よりも低くすることにより、回収容器内のノロ水はフィルタを通り、濾過されて濾過容器内に吸引される。この状態で第１の給水ポンプを作動させると、濾過容器内にある濾過水は連結管路を通って貯水容器内に給水されて溜まる。貯水容器に溜められた濾過水は第２の給水ポンプにより再び穿孔現場に戻され、接続機器に供給される。
【００１２】
このように、濾過容器のフィルタは濾過容器の底部に設けられ、回収容器のノロ水の上澄みを濾過する構成であるから、ノロ自体は沈殿してフィルタには付着しにくいので、フィルタの目詰りが起こりにくい。そして給水ポンプは濾過水を送ることになる為に壊れにくい。また、気密、液密な密閉容器は回収容器の１個だけで済むので、コストも低く抑えることができる。
【００１３】
請求項３に係る発明によれば、さらに、濾過容器は回収容器の底部から浮き上がるように付勢手段によって支持されているが、回収容器を負圧発生装置により負圧にすると、ピストンの上部には大気圧が、下部には負圧が作用するので、その差圧により濾過容器は付勢手段の付勢力に抗して底面まで下降させられ、濾過容器の底部はノロ水の上澄みに浸る。そこで、別の負圧発生装置により濾過容器内の圧力を回収容器の負圧よりも低くすることにより、ノロ水の上澄みはフィルタを通って濾過されて濾過容器に移動する。濾過終了後は回収容器を常圧に戻すと、ピストンに差圧がなくなるので、付勢手段の付勢力により回収容器が再び上昇し、フィルタに付着したノロは自重により落下する。したがって、目詰まりしにくい。
【００１４】
請求項４に係る発明によれば、回収容器に回収されたノロ水のノロは内側回収容器に回収され、回収容器を開放して内側回収容器とともに外に出して廃棄等の処理をすることができる。
【発明を実施するための最良の形態】
【００１５】
以下、図面によって本発明に係るノロ水の回収濾過装置を図１の概略図に基づいて説明する。
【００１６】
同図において符号１はノロ水の回収容器を示す。回収容器１は気密、液密となるように密閉され、上部には穿孔現場から回収されたノロ水の回収手段２が形成されている。また、回収容器１は負圧発生装置３ａに連結されている。なお、１１はノロ水１０の内側回収容器としての回収袋である。
【００１７】
次に、回収容器１の内部には濾過容器４が配置されている。濾過容器４の上部は閉じられている。底部にはフィルタ５が配設されている。濾過容器４にも負圧発生装置３ｂが設けられている。
【００１８】
次に、６は貯水容器で、その上部は開放され、上記濾過容器４の内部と貯水容器６とは連結管路７を介して連結されている。上記管路には濾過容器４内の濾過水を貯水容器６に送る第１の給水ポンプ８が設けられている。また、貯水容器６には穿孔現場などで使用されるドリル工具などの接続機器に濾過水を供給する第２の給水ポンプ９が設けられている。
【００１９】
上述の構成において、負圧発生装置３ａにより回収容器１を負圧Ｐ1にし、この状態でノロ水１０を回収する。ノロ水１０は回収容器１に溜まる。時間の経過につれてノロ（穿孔屑や粉塵）１０ｂの部分は底部に沈殿していく。回収が進むと、その上澄み液１０ａの水面がだんだん上がってきて濾過容器４のフィルタ５を越えると濾過できる状態になる。負圧発生装置３ｂにより濾過容器４を負圧Ｐ２にし、この負圧Ｐ２を回収容器１の負圧Ｐ１よりも低くすることにより、あるいは各容器の圧力をＰ２＜Ｐ１＜大気圧とすることにより、回収容器１内のノロ水１０はフィルタ５を通り、濾過されて濾過容器４内に吸引される。この状態で第１の給水ポンプ８を作動させると、濾過容器４内にある濾過水は連結管路７を通って貯水容器６内に給水されて溜まる。貯水容器６に溜められた濾過水は第２の給水ポンプ９により再び穿孔現場に戻され、接続機器に供給される。
【００２０】
以上のように、フィルタ５はノロ水１０の上澄み１０ａだけを濾過するので、目詰まりしにくく、フィルタ５の目詰りが起こりにくく、第１の給水ポンプ８も第２の給水ポンプ９は濾過された水が通るので、上記ポンプ８、９は壊れにくい。さらに、気密、液密を必要とする密閉容器は回収容器１の１個だけで済むので、コストも低く抑えることができる。
【００２１】
なお、回収容器１の底部に沈殿したノロ１０ｂは回収袋１１に回収され、回収容器１を開放して回収袋１１とともに外に出して廃棄等の処理をすることができる。
【００２２】
次に、図２は別のノロ水１０の回収濾過装置を示すもので、符号１はノロ水１０の回収容器を示す。回収容器１は気密、液密となるように密閉され、上部には穿孔現場から回収されたノロ水１０の回収手段２が形成されている。また、回収容器１は負圧発生装置３ａに連結されている。なお、１１はノロ水１０の回収袋である。
【００２３】
次に、回収容器１の内部には濾過容器４が配置されている。濾過容器４の上部は閉じられている。底部にはフィルタ５が配設されている。濾過容器４は負圧発生装置３ｂに連結されている。
【００２４】
６は貯水容器で水道などから給水された清水が貯留され、上部は開放されている。
【００２５】
次に、上記濾過容器４の内部と貯水容器６とは連結管路７を介して連結されている。上記連結管路７からは給水管路１２が分岐形成され、この給水管路１２には給水ポンプ９が配置されている。また、上記連結管路７の濾過容器４側には逆止弁１３が設けられ、貯水容器６側には絞り機構１４が設けられている。
【００２６】
上述の構成において、負圧発生装置３ａにより回収容器１を負圧Ｐ1にし、この状態でノロ水１０を回収する。ノロ水１０は回収容器１に溜まる。時間の経過につれてノロ１０ｂの部分は底部に沈殿していく。回収が進むと、その上澄み１０ａの水面がだんだん上がってきて濾過容器４のフィルタ５を越えると濾過できる状態になる。負圧発生装置３ｂにより濾過容器４を負圧Ｐ２にし、この負圧Ｐ２を回収容器１の負圧Ｐ１よりも低くすることにより、あるいは各容器の圧力をＰ２＜Ｐ１＜大気圧とすることにより、回収容器１内のノロ水１０の上澄み１０ａはフィルタ５を通り、濾過されて濾過容器４内に吸引される。この状態で給水ポンプを作動させると、濾過容器４内にある濾過水は連結管路７を通り、さらに給水管路１２を通って再び穿孔現場に戻され、接続機器に供給される。なお、このとき貯水容器６内の水は絞り機構１４が無い場合は、貯水容器６の水だけが吸引されるが、上記絞り機構１４により、貯水容器６の水の連結管路７の通水量を絞ることにより、濾過容器４と貯水容器６の水を均等に送ることができる。
【００２７】
回収容器１の底部に沈殿したノロ１０ｂは回収袋１１に回収され、回収容器１を開放して回収袋１１とともに外に排出して処理することができる。
【００２８】
次に、図３〜図５はさらに別のノロ水１０の回収濾過装置を示すもので、回収容器１は開閉蓋１ａによって内部が気密、液密となるように密閉可能とされ、上部には穿孔現場から回収されたノロ水１０の回収手段２が形成されている。また、回収容器１はパイプ１５ａを介して負圧発生装置（図示せず）に連結されている。
【００２９】
回収容器１の内部にはノロ回収袋１１が配置され、ノロ回収袋１１の内側には濾過容器４が上下動可能に配置されている。濾過容器４の上部も開閉蓋４ａによって開閉可能とされている。底部にはフィルタ５が配設されている。フィルタ５は押え板１６で支持されている。押え板１６には多数の孔が貫通形成されている。回収容器１もパイプ１５ｂを介して負圧発生装置（図示せず）に連結されている。
【００３０】
次に、上記回収容器１の上部には、上端を大気に開口し、下端を回収容器1にそれぞれ開口するシリンダ１７が設けられている。そして、このシリンダ１７内にはピストン１８が上下に摺動自在に収容され、ピストン１８の下部には連結ロッド１９が結合され、連結ロッド１９の下端は上記濾過容器４の開閉蓋４ａと結合している。これにより、上記ピストン１８と濾過容器４は連結ロッド１９を介して連結されている。
【００３１】
また、上記濾過容器４の開閉蓋４ａは連結手段２０を介して筒体２１の内部に収納された付勢手段としてバネ材２２に連結され、濾過容器４はこのバネ材２２により回収容器１の底部から浮き上がって濾過容器４と回収容器１の底部との間に間隔が開くように支持されている。
【００３２】
上記構成により、ピストン１８がシリンダ１７内を上下動することにより、濾過容器４は上下動可能となっている。
【００３３】
次に、上記濾過容器４には外部に通じる給水管路１２´が設けられている。この管路は図１および図２の連結管路７でもよく、あるいは直接に現場に給水する給水管路１２でもよい。
【００３４】
上記構成において、負圧発生装置３ａにより回収容器１を負圧Ｐ1にし、この状態でノロ水１０を回収する。ノロ水１０は回収容器１に溜まる。時間の経過につれてノロ（穿孔屑）の部分は底部に沈殿していく。回収容器１は負圧Ｐ１になっているので、ピストン１８の上部には大気圧が、下部には負圧が作用し、その差圧により、濾過容器４はバネ材２２のバネ力に抗して図４、図５の位置から図６に示すように底面まで下降する。濾過容器４が下降し、回収されたノロ水１０の上澄み液に濾過容器４のフィルタ５が浸ると濾過できる状態になる。負圧発生装置により濾過容器４を負圧Ｐ２にし、この圧力を回収容器１の負圧Ｐ１よりも低くすることにより、回収容器１内のノロ水１０はフィルタ５を通り、濾過されて濾過容器４内に吸引されて濾過される。その後、給水ポンプを作動させて給水管路１２´から濾過水を給水することができる。濾過終了後は回収容器１を常圧に戻すと、ピストン１８の上下の差圧がなくなるので、バネ材２２のバネ力により回収容器１が図４、図５の位置に上昇し、フィルタ５に付着したノロは自重により落下する。このためフィルタ５はさらに目詰まりしにくい。
【００３５】
なお、回収容器１の底部にはノロが沈殿する。沈殿したノロは回収袋１１に回収した後、回収容器１を開放して外部に出して処理することができる。
【００３６】
上述のように、上記各ノロ水１０の回収濾過装置によれば、濾過容器４のフィルタ５は濾過容器４の底部に設けられ、回収容器１のノロ水１０の上澄みを濾過し、ノロ自体は沈殿してフィルタ５には付着しにくいので、フィルタ５の目詰りが起こりにくい。そして給水ポンプは濾過水を送ることになる為に壊れにくい。また、気密、液密な密閉容器は回収容器１の１個だけで済むので、コストも低く抑えることができる。
【００３７】
また、実施例では回収容器１用の負圧発生装置３ａと濾過容器４用の負圧発生装置３ｂを別々に設けて説明したが、回収容器、濾過容器を１個の負圧発生装置に連結し、その連結路にバルブ等を設け、それぞれタイミングをずらして負圧制御させる方法でも良い。
【００３８】
また、実施例では付勢手段をバネ材２２で説明したが、たとえばエアーシリンダ等の付勢力を与えるものでも良い。
【００３９】
また、内側回収容器を回収袋１１で説明したが、回収容器１から簡単に着脱してノロを廃棄できるインナーケース状であれば良い。
【図面の簡単な説明】
【００４０】
【図１】ノロ水の回収濾過装置の概略図である。
【図２】他の実施形態に係るノロ水の回収濾過装置の概略図である。
【図３】さらに他の実施形態に係るノロ水の回収濾過装置の平面図である。
【図４】図３のＡ−Ａ線上の断面図である。
【図５】図３のＢ−Ｂ線上の断面図である。
【図６】濾過容器が下降した状態の断面図である。
【符号の説明】
【００４１】
１    回収容器
３ａ、３ｂ  負圧発生装置
４    濾過容器
５    フィルタ
６    貯水容器
７    連結管路
８    第１の給水ポンプ
９    第２の給水ポンプ
１０  ノロ水
【図１】
2007077691.tif 000003
【図２】
2007077691.tif 000004
【図３】
2007077691.tif 000005
【図４】
2007077691.tif 000006
【図５】
2007077691.tif 000007
【図６】
2007077691.tif 000008